(57)【要約】      （修正有）【課題】ロール式記入カレンダーにおいて記入した事項、記録を、専用ケースに装着することにより、従来のカレンダーのように年毎、月毎に記録を破棄することなく、複数年の記録を保存し、また、ロール用紙の巻きあげ、巻き戻しにより簡単に複数年の同月日の記録を一覧することができるロールカレンダーを提供する。【解決手段】複数年の暦を印刷したロール紙を専用カレンダーケース１に装着し、ケースにセットされたハンドルを回してロール紙の巻きあげ、巻き戻しを行うことにより、記入、または閲覧したい年月のカレンダーが簡単に引き出せるようにする。記入、閲覧のページの下にはタワミ防止のためのカレンダー下敷板３があり、そのために、たわむことなく正確な記入、見やすいカレンダーが可能となる。【選択図】図１
0003165068.tif 000002
【実用新案登録請求の範囲】
【請求項１】
複数年間の暦を印刷したロール紙を専用カレンダーケースに装着し、専用ハンドルを回すことにより、そのロール紙の巻き上げ、巻き戻しが出来るようにして、所定の表示面に記入をしたり、書き込んだ記録等を複数年間閲覧できるカレンダー。
【考案の詳細な説明】
【技術分野】
【０００１】  本考案は従来ある一年間カレンダー、一ヶ月カレンダー、日めくりカレンダー等では、なく、複数年の暦を印刷したロール状の用紙を専用カレンダーケースにセットし、出来事、行事、予定等を記入し、記録することにより、複数年使用出来ることに適したカレンダーである。
【背景技術】
【０００２】  従来、カレンダーと言えば壁掛けタイプや卓上タイプがあり、用紙は一年分を一枚にしたり、十二ヶ月分を一年分として十二枚綴りにしたり、また日めくりタイプ等がある。十二ヶ月分カレンダーや日めくりカレンダーは記入可能だが、折角書き入れた出来事や行事、予定等を十二ヶ月カレンダーにおいては毎月、日めくりカレンダーにおいては毎日めくり、破棄されるのが通常である。それにより、折角描きこんだ思い出や記録（毎年の行事、記念日、日程、ビジネスの成果等）がカレンダーをめくり破棄されることで消えてしまう。過去の手帳、資料等を捜し、記録を取り出し、折角カレンダーに記入しても期間が過ぎればめくられ、破棄されてしまい、それを毎年繰り返さなければならず、大変煩わしいものである。
【考案の概要】
【考案が解決しようとする課題】  しかしながら、毎年、毎月、毎日のカレンダーを貼りっ放しには出来ず、また、収納してもその都度捜し出したり、毎回次年度のカレンダーに記入したり等大変煩わしく、又、記録した出来事や思い出がめくり、破棄される事で消えてしまうのである。
【課題を解決するための手段】
【０００３】  本考案専用カレンダーケースに装着タイプの記入式複数年ロールカレンダー（以下、本考案カレンダーとする）は、ロールされた複数年カレンダーを専用カレンダーケースに装着し、ロールを回す事で用紙をスライドさせ、適切なる位置に止め、記入することができる。止める位置は一ヶ月表示でも二ヶ月をまたぐ位置でも自在に止めることができる。【０００４】  このロールカレンダーは、月毎に日付、曜日、書き込みスペースを一列一年分とし、それを必要な年数分複数列並べ、複数年カレンダーとする。複数列の片端には共通の行事、記念日欄を一列設け、行事、記念日を記入。一度記入すれば複数年間使用出来る。【０００５】  複数年の範囲であるが、ロール用紙の大きさ、記入できる文字の大きさ等から、約二年〜五年位が最適であるが、一年タイプでも可能である。【０００６】  用紙の大きさは卓上タイプ、壁掛タイプ、兼用タイプ等があるので、Ｂ５からＡ３タイプが最適であるが、使用、用途に応じてその大きさは自由に作成できる。【０００７】  この記入式複数年ロールカレンダーは、専用カレンダーケースに着脱可能なカートリッジタイプにすることで、本体ケースは長期間利用出来、ロールカレンダーは長期間保存できる。また、専用カレンダーケースに、壁掛け、置物としてのインテリア性を持たせることができるので、デザインやケースの材質の選択の自由度も大きいものとする。
【考案の効果】
【０００８】  各年度の書き込みスペース欄には各予定及び記録（行事、記念日、ビジネスの成果や予定等）が記入できる。具体例を挙げると、例えばゴルフの好きな方はラウンドしたゴルフコース、同伴者、スコアの記録等、あるいは育児の記録などファミリーの記録、旅行の記録、結婚記念日等の各種記念日の記入等である。その他ビジネス使用に関しては、複数年分の作業の成績、売り上げ、生産記録が一目でわかるので、各年度と比較し、ビジネスの管理が容易に出来るようになる。【０００９】  このロールカレンダーは着脱可能カートリッジ式なので、何年、何十年と保存出来、必要な時、いつでも取り出し顧みることが出来る。【００１０】  本考案カレンダーは専用ケース本体に収納し、壁掛けや、壁から取り外して卓上用にしても、記入、使用することが出来る。
【考案を実施するための形態】
【００１１】  以下、本考案カレンダーの構造を、その実施の最良の形態に対して図面に示す実施側に基づいて具体的に示す。
【００１２】  カレンダー軸５にロールされた本考案ロールカレンダー２を、専用カレンダーケース１の上部収納スペース７のカレンダー収納スペース上蓋４を開け、ロールカレンダー２をセットする。
【００１３】  本考案ロールカレンダー２を、専用カレンダーケース１内を一周誘導するために、予め、２〜３枚の合成樹脂等で成形された薄いリード板（約２〜３ｃｍ）を巡らせて、片端を本考案ロールカレンダーに接着させ、もう片方のリード板を軽く引くことで、本考案ロールカレンダーが専用カレンダーケース１内を一周し、出てきた端部のリード板をはずし、カレンダー軸６に接着させる。
【００１４】  カレンダー軸穴１１に軸回転用ハンドル１０（取り外し可能）を指しこみ、カレンダー軸６を時計方向に回せばロールカレンダーは前進し、カレンダー軸５を時計方向と逆に回すとロールカレンダーは後進する。（カレンダー軸５、６を回す方法は電動も可能である）
【００１５】  尚、専用カレンダーケース１の材質は、木質素材、合成樹脂素材、又は金属素材（鉄、もしくはアルミニウム等の非鉄金属）から形成されている。
【００１６】  本考案カレンダー２に記入する際、カレンダー下敷板タワミ止め１２を設けたカレンダー下敷板３があるので、タワミ等が少なく記入することができる。
【図面の簡単な説明】
【００１７】
【図１】図１は、本考案の実施例を示すものであり、本考案カレンダーケースに設置した正面図を示したものである。図１のａｂは本考案カレンダーの側面図を示した図である。
【図２】図２は、図１のＡ−Ａ間で断面して拡大し、上下の中間を省略した断面図である。
【図３】図３は、本考案カレンダーの上部分を示し、仮に三年用カレンダーとして示したものである。
【符号の説明】
【００１８】  １・・専用カレンダーケース
２・・ロールカレンダー
３・・カレンダー下敷板
４・・カレンダー収納スペース上蓋
５・・カレンダー軸（着脱式、回転可能）
６・・カレンダー軸（着脱不可、回転可能）
７・・カレンダー収納スペース
８・・切回しスペース
９・・カレンダー切回し軸（固定）
１０・・軸回転用ハンドル（着脱式）
１１・・カレンダー軸穴
１２・・カレンダー下敷板タワミ止め
【図１】
0003165068.tif 000003
【図２】
0003165068.tif 000004
【図３】
0003165068.tif 000005